(57)【要約】【課題】簡単な手法で鉛玉汚染土壌から鉛玉を分別回収できるようにし、分別回収に係るコストを低減する。【解決手段】直線状で横広の土壌落とし込み口１３から落下する鉛玉汚染土壌１２への送風手段３による風の吹き当てにより、通風空間１１で、鉛玉が風を受けて落下する鉛玉移動領域１５と、礫が風を受けて鉛玉より風下側に吹き出されて落下する礫移動領域１６とを区分し、鉛玉移動領域１５と礫移動領域１６との間に分別案内手段８の略山形状部分２１の頂部２０を位置させて、分別案内手段８の風上側の斜面部１８で、鉛玉移動領域１５の鉛玉を鉛玉回収部２２へ受け落とし、礫移動領域１６の礫を礫回収空間２３に向けて吹き出すようにした【選択図】    図１
2006000790.tif 000002
【特許請求の範囲】
【請求項１】
鉛玉とこの鉛玉より比重の小さい礫とが混じった鉛玉汚染土壌を載せる土壌受け部の下に、送風手段により送り出された風が通過する通風空間を介して、この通風空間の風上側に斜面部を有する分別案内手段を配し、
前記土壌受け部に、前記通風空間の通風方向に交差する方向を長手とした直線状の土壌落とし込み口を開口して、この落とし込み口から鉛玉汚染土壌を落とし込み、
前記土壌落とし込み口から落下する鉛玉汚染土壌への送風手段による風の吹き当てにより、該風を受けて落下する鉛玉の風下側に鉛玉より比重の小さい礫を吹き出して、通風空間で、鉛玉が風を受けて落下する鉛玉移動領域と、前記礫が風を受けて鉛玉より風下側に吹き出されて落下する礫移動領域とを区分し、
前記鉛玉移動領域と礫移動領域との間に前記分別案内手段の頂部を位置させて、該分別案内手段の風上側の斜面部で、前記鉛玉移動領域の鉛玉を鉛玉回収部へ受け落とし、礫移動領域の礫を礫回収空間に向けて吹き出すことを特徴とする鉛玉汚染土壌からの鉛玉分別回収方法。
【請求項２】
上記土壌落とし込み口の通風方向の開口寸法が３〜５ｍｍである請求項１に記載の鉛玉汚染土壌からの鉛玉分別回収方法。
【請求項３】
上記土壌落とし込み口の通風方向の開口寸法が変更可能に設けられている請求項１または２に記載に鉛玉汚染土壌からの鉛玉分別回収方法。
【請求項４】
上記分別案内手段の頂部が通風方向に移動可能である請求項１から３の何れか一項に記載の鉛玉汚染土壌からの鉛玉分別回収方法。
【発明の詳細な説明】
【技術分野】
【０００１】
本発明は射撃場において散弾銃から発砲された鉛玉が礫と混じっている鉛玉汚染土壌から鉛玉を分別回収する方法に関するものである。
【背景技術】
【０００２】
従来、射撃場における場内の土壌には散弾銃から発砲された鉛玉が混じっていて鉛玉汚染土壌となり、この鉛玉汚染土壌から地域周辺の土壌に鉛害が拡散するのを防止する必要がある。そのため、鉛玉汚染土壌となっている場内の表層土壌を集めており、そして、この土壌を処分する場合にも鉛を含む割合を基準以下に下げる必要があり、鉛玉汚染土壌から鉛玉を分別回収することが行われている。
例えば、鉛玉汚染土壌中の鉛（鉛玉）より比重の小さい礫を上方に向けて吸引するファンからなる吸引手段の吸引部分に、ベルトコンベヤなどの搬送装置で鉛玉汚染土壌を送り込み、搬送装置の端部から前記吸引手段の吸引部分に落とし込まれる鉛玉汚染土壌中から礫を上方に吸引分別するとともに、吸引されることなく落下する鉛玉をその吸引部分の下方に配置した鉛玉収集部で受け、吸い上げた礫は吸引手段の排出口から、前記鉛玉収集部とは別の収集部に集めるようにした鉛玉分別回収装置が提案されている（特許文献１参照）。
【特許文献１】特開２００３−３２０３１２（段落番号０００７  図１）
【発明の開示】
【発明が解決しようとする課題】
【０００３】
しかしながら、上記従来の鉛玉分別回収装置においては、鉛玉汚染土壌の搬送装置と礫の吸引手段とがそれぞれ駆動源を必要とするものとなっていることから、鉛玉分別回収装置を製造する上でのコストが高い。また吸引手段においては吸引路と渦巻室と排出路とからなる吸排行程があって、吸引された礫が通る行程が複雑なものとなり、よって、装置全体の構造が複雑で大型となり、この点も価格を引き上げ、装置を重くして取り扱いやメンテナンスなどを困難にする原因であった。
そこで本発明は上記事情に鑑み、簡単な手法で鉛玉汚染土壌から鉛玉を分別回収できるようにすることを課題とし、分別回収に係るコストを低減することを目的とするものである。
【課題を解決するための手段】
【０００４】
本発明は上記課題を考慮してなされたもので、鉛玉とこの鉛玉より比重の小さい礫とが混じった鉛玉汚染土壌を載せる土壌受け部の下に、送風手段により送り出された風が通過する通風空間を介して、この通風空間の風上側に斜面部を有する分別案内手段を配し、前記土壌受け部に、前記通風空間の通風方向に交差する方向を長手とした直線状の土壌落とし込み口を開口して、この落とし込み口から鉛玉汚染土壌を落とし込み、前記土壌落とし込み口から落下する鉛玉汚染土壌への送風手段による風の吹き当てにより、該風を受けて落下する鉛玉の風下側に鉛玉より比重の小さい礫を吹き出して、通風空間で、鉛玉が風を受けて落下する鉛玉移動領域と、前記礫が風を受けて鉛玉より風下側に吹き出されて落下する礫移動領域とを区分し、前記鉛玉移動領域と礫移動領域との間に前記分別案内手段の頂部を位置させて、該分別案内手段の風上側の斜面部で、前記鉛玉移動領域の鉛玉を鉛玉回収部へ受け落とし、礫移動領域の礫を礫回収空間に向けて吹き出すことを特徴とする鉛玉汚染土壌からの鉛玉分別回収方法を提供して、上記課題を解消するものである。
【０００５】
本発明において、上記土壌落とし込み口の通風方向の開口幅が３〜５ｍｍであることが良好である。
また、本発明において、上記土壌落とし込み口の通風方向の開口寸法が変更可能に設けられていることが良好である。
そして、本発明において、上記分別案内手段の頂部が通風方向に移動可能であることが良好である。
【発明の効果】
【０００６】
本発明においては、土壌受け部に開口している土壌落とし込み口から鉛玉汚染土壌を落とし込み、自然落下する鉛玉汚染土壌に通風空間で横方向から風を吹き当てるというい簡易な構成で、鉛玉と礫との比重の違いを利用しながら、鉛玉が風を受けて落下する鉛玉移動領域と、礫が風を受けて鉛玉より風下側に吹き出されて落下する礫移動領域とに区分している。そして、鉛玉移動領域と礫移動領域との間に分別案内手段の頂部を位置させて、その分別案内手段の風上側の斜面部で、鉛玉移動領域の鉛玉を鉛玉回収部へ受け落とすとともに、礫移動領域の礫を礫回収空間に向けて吹き出すことで、鉛玉と礫とを分別回収するようにしている。このように一つの送風手段のみで鉛玉汚染土壌を鉛玉移動領域を通る鉛玉と礫移動領域を通る礫とに分け、鉛玉移動領域の鉛玉を分別案内手段の斜面部で鉛玉回収部側へと受け落とすので、鉛玉を分別回収する構成が極めて簡単であり、低コストで鉛玉の分別回収が行えるようになる。分別された他方の礫にあっても風の送り出しにより分別した礫の回収という簡易な構成で礫が集められるため、鉛玉の混入の度合いも小さく、産業廃棄物として処理する基準をクリアできるものにすることが簡単である。
【０００７】
また、土壌落とし込み口の通風方向の開口寸法を鉛玉が通る３〜５ｍｍにすることで、鉛玉汚染土壌を略垂れ幕状にして落下させて略均一に風が当たるようにして、吹き流される礫に鉛玉が押されて礫とともに鉛玉が礫移動領域側を通る度合いを小さくし、鉛玉と礫との分別がより正確に行えるようになる。
【０００８】
また、土壌落とし込み口の通風方向の開口寸法が変更可能に設けられているものとすることで、土壌受け部から通風空間への鉛玉汚染土壌の落下量を調整できるようになる。
【０００９】
上記鉛玉移動領域と礫移動領域との間では鉛玉と礫とが混在している場合がある。そこで、分別案内手段の頂部を通風方向に移動可能にすることで、以下の調整が行えるようになる。例えば、分別案内手段の頂部を鉛玉移動領域側に寄るように位置を変更すれば、その分別案内手段の鉛玉移動領域に対応する斜面部で礫が受け落とされる可能性を小さくし、鉛玉回収部側に礫が混じり込み難くする。また、分別案内手段の頂部を礫移動領域側に寄るように位置を変更すれば、鉛玉移動領域に対応する斜面部で礫が受け落とされる可能性が高くなるが、より多くの鉛玉を回収できるようになる。
【発明を実施するための最良の形態】
【００１０】
つぎに本発明を図１から図３に示す実施の形態に基づいて詳細に説明する。
図中１は鉛玉分別回収装置で、該鉛玉分別回収装置１は装置本体２と扇風機からなる送風手段３とからなるものである。前記装置本体２は、相対する二枚の側面板４の上端部間に天板５を渡すようにして取り付けてその天板５が位置する天面部分を土壌受け部６とした断面略門型の外形体７の内部に、上方に向けて凸にして二つの斜面部を有する略山形状の分別案内手段８を配置したものである。そして、図示されているように前記外形体７の一端側が風導入口９として開放されているとともに、この外形体７の他端側が風排出口１０として開放されていて、風導入口９から風排出口１０にかけて風を通すことのできる通風空間１１が前記土壌受け部６の下方に形成され、さらにこの通風空間１１の下に前記分別案内手段８が位置するように設けられている。
【００１１】
上記土壌受け部６は、鉛玉とこの鉛玉より比重の小さい礫とが混じった鉛玉汚染土壌１２を載せる場所であり、この土壌受け部６の下方側に形成されている上記通風空間１１に鉛玉汚染土壌１２を略垂れ幕状にして落とし込むことができるように、直線状の土壌落とし込み口１３を開口している。この土壌落とし込み口１３は、通風空間での通風方向に対して直交する方向に開口された隙間状のもので上記天板５を分離することで構成され、通風方向での開口寸法を３〜５ｍｍとしていて、この隙間状の土壌落とし込み口１３から鉛玉汚染土壌を落とし込むため、通風空間１１に入る時点で薄い垂れ幕状で通風方向に直交する方向に横広がりした状態で落下するようになる。なお、土壌受け部６に載せる鉛玉汚染土壌１２を、この土壌受け部６に載せる前に、粒径１．５〜３．０ｍｍとなるように篩などの分級手段を用いて分級する。
【００１２】
上記送風手段２はこの横広がりした状態で落下する鉛玉汚染土壌に対して風を吹き当てる働きをするものであり、上記装置１の外形体７における風導入口９に扇風機を位置させることによってこの送風手段２が構成されている。この送風手段２が設置される装置本体２の風導入口９がある端部側には、送風手段２の左右と上との三方を囲む規制板１４が取り付けられており、送風手段２から送り出される風が周囲に流れる度合いを小さくしてより多くの風を通風空間１１に流れるようにしている。そのため、送風手段２を構成している扇風機の出力調整によって通風空間１１を流れる風の量の調整に適正に反映するようにしている。
このように送風手段２から送り出される風が一方向に流れている通風空間１１に落とし込まれる鉛玉汚染土壌１２は、上述したように薄く、かつその通風方向に直交する方向に横開きした垂れ幕状となっていることから、この状態で落下する鉛玉汚染土壌に万遍なく風が吹き当てられるようになる。
【００１３】
上記鉛玉汚染土壌１２中の礫の比重は約２．４、鉛玉を構成している鉛の比重は約１１．３であり、本発明では両者の比重に大きな差があることを利用していて、横広がりにして落下する鉛玉汚染土壌１２に風を吹き当てることで、この風を受けて落下する土壌の風下側に鉛玉より比重の小さい礫を吹き出すようにしており、通風空間１１で、鉛玉が風を受けて落下する鉛玉移動領域１５と、礫が風を受けて鉛玉より風下側に吹き出されて落下する礫移動領域１６とを区分している。
なお、鉛玉移動領域１５と礫移動領域１６との間は上記土壌落とし込み口１３の位置から離れるに従って広がるが、鉛玉移動領域１５と礫移動領域１６との間の境界領域１７にも数少ない礫と数少ない鉛玉とが混在した状態となる可能性があるが、殆どの礫は礫移動領域１６中を移動することになり、また殆どの鉛玉も前記鉛玉移動領域１５を移動して落下する。
このように本発明では、共に落下する礫と鉛玉とに風を吹き当てて、鉛玉移動領域１５を通る鉛玉と礫移動領域１６を通る礫とに分けるようにしており、礫と鉛との比重の違いを利用しているだけであるため、簡単な構成で礫と鉛玉とが通風空間で分別できる。
【００１４】
通風空間１１に配置された上記分別案内手段８は通風空間１１での鉛玉移動領域１５を通って落下してきた鉛玉を礫移動領域１６の礫と混じり合わせることなく回収する働きをするものである。この分別案内手段８は、上述したように二つの斜面部１８、１９を有して一方の斜面部１８を上記鉛玉移動領域１５に対応位置させるとともに、もう一つの斜面部１９を礫移動領域１６に対応位置させ、さらに頂部２０を上記境界領域１７に対応位置させるようにした略山形状部分２１を有するとともに、風上に向けて下り勾配とした前記斜面部１８の下端を鉛玉回収部２２に連続させている。この鉛玉回収部２２は風導入口９に連続しており、そして、開閉可能な鉛玉搬出口２８を有していて、この鉛玉搬出口２８を通して鉛玉を取り出すようにする。
また、もう一方の斜面部１９は風下に向けて下り勾配の傾斜であって、その下端が上記風排出口１０の下端位置を通って斜め下方に向けて張り出ている。
【００１５】
この分別案内手段８では、上記鉛玉移動領域１５を通って落下してきた鉛玉を一方の斜面部１８で受け、これらを鉛玉回収部２２に向けて落とすようにしており、自動的に鉛玉回収部２２に鉛玉が回収されるようになる。また、礫移動領域１６の礫はその比重が小さいことから、吹き当てられる風によって前記鉛玉移動領域１５より風下側に分かれてもう一つの斜面部１９にて受けられ、さらに礫回収空間２３の下に施設したシート２４の上に落下させるようにしている。これによって吹き出された礫の回収も容易に行える。
また、頂部２０において、この実施の形態では一方の斜面部１８の上端が上記境界領域１７内で斜面部１９の上端より上方に延設されていて、断面略入字状としている。そして、このように頂部２０が境界領域１７に位置していることから、混在した状態で落下する鉛玉と礫との内、頂部２０における斜面部１８が受けた鉛玉と礫とを共に鉛玉回収部２２へと落とすようにしている。
このように境界領域１７にも斜面部１８を延設している状態としているので、多少の礫が鉛玉と共に回収されることになるが、斜面部１８をその境界領域１７に広く位置させるようにすることで多くの鉛玉を回収できるようになる。
【００１６】
上記鉛玉分別回収装置１において以下に示す形状の装置を作成した。
・ａ（土壌受け部の風上側の端部から土壌落とし込み口までの距離）  ５００ｍｍ
・ｂ（土壌落とし込み口の開口寸法）  ５ｍｍ
・ｃ（土壌落とし込み口から土壌受け部の風下側の端部までの距離）  ３５０ｍｍ
・ｄ（土壌受け部周囲の縦壁高さ寸法、風導入口上縁及び風排出口上縁の垂れ壁長さ寸法）  ６０ｍｍ
・ｅ（風導入口位置から頂部までの水平距離）  ５４０ｍｍ
・ｆ（頂部から土壌受け部裏面までの垂直距離）  ２２０ｍｍ
・ｇ（風導入口下縁縦壁高さ寸法）  ５０ｍｍ
・ｈ（鉛玉回収部から装置下までの距離）  ３５０ｍｍ
・ｉ（側方の側面板高さ）  ８８０ｍｍ
・ｊ（送風手段と風導入口までの距離）  １００ｍｍ
・θ（送風手段の送風角度）  １７度
送風手段を構成する扇風機として、スイデン製工場用扇風機ＳＦ−４５ＴＳ−１Ｖを用い、強風（風速：約２８０ｍ／分、風量：約１３８ｍ３／分）に設定して送風した。
【００１７】
鉛玉径は１．７５〜２．４１ｍｍであって、礫と鉛玉とが混じった鉛玉汚染土壌約５００ｇ（粒径１．５〜３．０ｍｍに事前分級済みの土壌）を上記分別回収装置を利用して分別回収した。
（結果）
礫回収空間から回収した礫への鉛混入量は５％（重量％）以下であった。また、回収した鉛玉への礫の混入量は５．５％以下であった。よって、回収した鉛玉を鉛材料として再利用する上で問題がないと判断できた。
【００１８】
上記鉛玉分別回収装置１において土壌落とし込み口１３の通風方向での開口寸法を３〜５ｍｍとし、実施の例として上記装置において５ｍｍ固定としたが、この土壌落とし込み口の通風方向での開口寸法を３〜５ｍｍの範囲で変更できるようにすることも可能である。例えば、開口幅変更部材２５を天板５に通風方向にスライド可能にして取り付けて土壌落とし込み口１３の開口寸法を変更する構成とすることができる。このように土壌落とし込み口１３の開口寸法を変更できるようにすれば、鉛玉汚染土壌の落とし込み量を調整することができるようになる。
【００１９】
また、上記実施の形態では分別案内手段８を固定のものとしたが、本発明はこれに限定されるものではなく、図４に示すように、分別回収手段８を略山形状部分２１がある上部移動体２６とこの上部移動体２６を通風方向に移動可能に支持する土台２７とに分けて、上部移動体２６の移動により頂部２０の位置を上記境界領域１７の範囲で移動させるようにしてもよい。このように頂部２０を移動させれば、風力一定の下で鉛玉を回収できる度合いを変化させることができる。即ち、頂部２０を鉛玉移動領域１５側に寄るように位置を変更すれば、斜面部１８で礫が受け落とされる可能性を小さくし、鉛玉回収部２２側に礫が混じり込み難くする。また、頂部２０を礫移動領域１６側に寄るように位置を変更すれば、斜面部１８で礫が受け落とされる可能性が高くなるが、より多くの鉛玉を回収できるようになる。このように風力一定の下において分別の度合いを調整することができる。
そして、上記送風手段の風力調整とこの頂部位置の調整との両者を行なうことにより、礫の混入度合いの小さい鉛玉の回収と鉛玉の混入度合いが小さい礫の回収とを両条件を満足するため調整も行えるものとなる。
また、上記実施の形態において、分別案内手段８は鉛玉移動領域１５に対応位置する斜面部１８と礫移動領域１６に対応位置する斜面部１９を有するものとして説明したが、この分別案内手段８は二つの斜面部１８、１９を有する形態に限定されるものではなく、鉛玉移動領域１５に対応位置する斜面部１８のみを有するものであってもよい。
【図面の簡単な説明】
【００２０】
【図１】本発明に係る鉛玉汚染土壌からの鉛玉分別回収方法の一例を実施する鉛玉分別回収装置を側方から示す説明図である。
【図２】鉛玉分別回収装置の例を断面で示す説明図である。
【図３】同じく鉛玉分別回収装置の例を上方からみた状態で示す説明図である。
【図４】他の実施例を示す説明図である。
【符号の説明】
【００２１】
１…鉛玉分別回収装置
２…装置本体
３…送風手段
６…土壌受け部
８…分別案内手段
９…風導入口
１０…風排出口
１１…通風空間
１２…鉛玉汚染土壌
１３…土壌落とし込み口
１５…鉛玉移動領域
１６…礫移動領域
１７…境界領域
１８…斜面部
１９…斜面部
２０…頂部
２１…山形状部
２２…鉛玉回収部
２３…礫回収空間
２５…開口幅変更部材
２６…上部移動体
２７…土台
【図１】
2006000790.tif 000003
【図２】
2006000790.tif 000004
【図３】
2006000790.tif 000005
【図４】
2006000790.tif 000006
【手続補正書】
【提出日】平成16年6月23日(2004.6.23)
【手続補正１】
【補正対象書類名】明細書
【補正対象項目名】００１２
【補正方法】変更
【補正の内容】
【００１２】
上記送風手段３はこの横広がりした状態で落下する鉛玉汚染土壌に対して風を吹き当てる働きをするものであり、上記装置１の外形体７における風導入口９に扇風機を位置させることによってこの送風手段３が構成されている。この送風手段３が設置される装置本体２の風導入口９がある端部側には、送風手段３の左右と上との三方を囲む規制板１４が取り付けられており、送風手段３から送り出される風が周囲に流れる度合いを小さくしてより多くの風を通風空間１１に流れるようにしている。そのため、送風手段３を構成している扇風機の出力調整によって通風空間１１を流れる風の量の調整に適正に反映するようにしている。
このように送風手段３から送り出される風が一方向に流れている通風空間１１に落とし込まれる鉛玉汚染土壌１２は、上述したように薄く、かつその通風方向に直交する方向に横開きした垂れ幕状となっていることから、この状態で落下する鉛玉汚染土壌に万遍なく風が吹き当てられるようになる。